(57)【要約】  テレビ装置が周辺装置に現在同調しているか否かにかかわらず、テレビ装置は、デジタルシリアルバスを介してテレビ装置に相互接続された１つ以上の周辺装置からコンテンツ情報のテーブルを表示するように動作可能である。特に、コンテンツ情報のテーブルは、ユーザ要求時に周辺装置毎に提供される。本発明は、ユーザが表示されたコンテンツのテーブルのトラックを移動し、それらを再生し、それらを削除すること等を可能にする。ユーザはまた、リモコンの入力キーの使用を通じてシリアルバス周辺装置を循環することが可能になり、複数のコンテンツのテーブルへの容易なアクセスを提供し、所望のトラックを見つける容易な方法をユーザに提供する。ユーザがシリアルバスリストの最後のシリアルバス周辺装置に到達し、再び入力しようとすると、ディスプレイは最初のシリアルバス周辺装置に戻される。これは、テレビ装置が現在のソース入力としてデジタルシリアルバス周辺装置を既に使用しているときにユーザがメニューを開いた場合のように、ユーザがシリアルバス周辺装置リストの中間で開始することを可能にする際に有用である。
2007511181.tif 000002
【特許請求の範囲】
【請求項１】
デジタルシリアルバスを介してテレビ装置に相互接続された周辺装置に関連するコンテンツ情報をテレビ装置で表示する方法であって、
前記テレビ装置により、前記デジタルシリアルバスを介して前記テレビ装置に相互接続された選択された周辺装置に関連するコンテンツ情報を視聴するユーザ要求を受信し、
前記選択された周辺装置が前記テレビ装置の現在選択されている入力ソースであるか否かにかかわらず、前記テレビ装置により、前記選択された周辺装置からコンテンツ情報を取得し、
前記テレビ装置により、前記選択された周辺装置の受信したコンテンツ情報を表示することを有する方法。
【請求項２】
請求項２に記載の方法であって、
前記デジタルシリアルバスは、ＩＥＥＥ１３９４準拠のシリアルバスである方法。
【請求項３】
請求項３に記載の方法であって、
第２のユーザ入力に応じて、
前記テレビ装置により、第２の選択された周辺装置からコンテンツ情報を取得し、
前記テレビ装置により、前記第２の選択された周辺装置の受信したコンテンツ情報を表示することを更に有する方法。
【請求項４】
請求項１に記載の方法であって、
前記コンテンツ情報は、前記選択された周辺装置の記憶媒体に格納されたプログラムのコンテンツ情報のテーブルを有する方法。
【請求項５】
請求項４に記載の方法であって、
前記コンテンツ情報のテーブルは、周辺装置毎に前記テレビ装置に表示される方法。
【請求項６】
請求項５に記載の方法であって、
前記テレビ装置により、ユーザが前記テレビ装置に相互接続された周辺装置のループを循環することを可能にすることを更に有する方法。
【請求項７】
請求項６に記載の方法であって、
前記テレビ装置により、ユーザが前記テレビ装置により受信されたユーザ入力に応じて表示されたコンテンツ情報を操作することを可能にすることを更に有する方法。
【請求項８】
請求項７に記載の方法であって、
操作は、前記コンテンツ情報の移動と、前記コンテンツ情報の削除と、選択されたプログラムの再生とを有する方法。
【請求項９】
ＩＥＥＥ１３９４バスを介してテレビ装置に相互接続された周辺装置に関連するコンテンツ情報のテーブルをデジタルテレビ装置で表示する方法であって、
ユーザが前記ＩＥＥＥ１３９４バスを介して前記デジタルテレビ装置に相互接続された選択された周辺装置のコンテンツ情報のテーブルの視聴を要求することを可能にするメニューを、前記デジタルテレビ装置への第１のユーザ入力に応じて前記デジタルテレビ装置で提供し、前記選択された周辺装置が前記デジタルテレビ装置の現在選択されている入力ソースであるか否かにかかわらず、オプションが前記デジタルテレビ装置により提供され、
前記テレビ装置により、前記ＩＥＥＥ１３９４バスを介して前記デジタルテレビ装置と前記選択された周辺装置との間の通信を確立し、
前記デジタルテレビ装置により、前記選択された周辺装置の記憶媒体に関連するコンテンツ情報のテーブルを取得し、
前記デジタルテレビ装置により、前記選択された周辺装置の受信したコンテンツ情報のテーブルを表示することを有する方法。
【請求項１０】
請求項９に記載の方法であって、
デジタルシリアルバスへの前記選択された周辺装置の接続を検出し、検出時に前記選択された周辺装置からコンテンツ情報のテーブルを取得することを更に有する方法。
【請求項１１】
請求項９に記載の方法であって、
第２のユーザ入力に応じて、
前記１３９４シリアルバスを介して前記デジタルテレビ装置と第２の選択された周辺装置との間の通信を確立し、
前記デジタルテレビ装置により、前記第２の選択された周辺装置の記憶媒体に関連するコンテンツ情報のテーブルを取得し、
前記デジタルテレビ装置により、前記第２の選択された周辺装置からのコンテンツ情報のテーブルを表示することを更に有する方法。
【請求項１２】
請求項９に記載の方法であって、
前記選択された周辺装置の前記コンテンツ情報のテーブルは、タイトルと、作成時と、総トラック時間と、現在のトラック時間と、アーチストと、ジャンルと、コンテンツデータのテーブルの各トラックのプログラムの説明とのうち１つ以上を有する方法。
【請求項１３】
請求項９に記載の方法であって、
前記デジタルテレビ装置により、ユーザが前記１３９４シリアルバスを介して前記テレビ装置に相互接続された周辺装置のループを循環することを可能にすることを更に有する方法
【請求項１４】
請求項９に記載の方法であって、
前記デジタルテレビ装置により、前記コンテンツ情報の移動と、前記コンテンツ情報の削除と、選択されたプログラムの再生とを含み、ユーザが前記テレビ装置により受信されたユーザ入力に応じて表示されたコンテンツ情報を操作することを可能にすることを更に有する方法。
【請求項１５】
（ａ）デジタルシリアルバスを介してテレビ装置に相互接続された選択された周辺装置に関連するコンテンツ情報を視聴するユーザ要求を受信する手段と、
（ｂ）前記選択された周辺装置が前記テレビ装置の現在選択されている入力ソースであるか否かにかかわらず、前記選択された周辺装置からコンテンツ情報を取得する手段と、
（ｃ）要求したデジタルシリアルバス準拠の周辺装置の受信したコンテンツ情報のテーブルを表示する手段と
を有するデジタルテレビ装置。
【請求項１６】
請求項１５に記載のデジタルテレビ装置であって、
（ｅ）ユーザが周辺装置のうち選択されたものに関連するコンテンツ情報のテーブルを視聴するために、前記デジタルシリアルバスで相互接続された周辺装置のループを循環することを可能にする手段を更に有するデジタルテレビ装置。
【請求項１７】
請求項１５に記載のデジタルテレビ装置であって、
（ｆ）ユーザが前記デジタルテレビ装置により受信されたユーザ入力に応じて表示されたコンテンツ情報のテーブルを操作することを可能にする手段を更に有するデジタルテレビ装置。
【請求項１８】
請求項１７に記載のデジタルテレビ装置であって、
操作は、前記コンテンツ情報のテーブルの移動と、前記コンテンツ情報のテーブルの削除と、選択されたプログラムの再生とを有するデジタルテレビ装置。
【発明の詳細な説明】
【技術分野】
【０００１】
この米国非仮特許出願は、２００３年１１月１０日に出願された“Ｍｅｔｈｏｄ  Ｆｏｒ  Ｐｒｏｖｉｄｉｎｇ  Ｄｙｎａｍｉｃ  Ｄｉｓｐｌａｙ  ｏｆ  Ｃｏｎｔｅｎｔ  Ｉｎｆｏｒｍａｔｉｏｎ  Ａｓｓｏｃｉａｔｅｄ  Ｗｉｔｈ  ａ  Ｄｅｖｉｃｅ  Ｉｎ  ａ  Ｎｅｔｗｏｒｋ”という題の米国仮特許出願第６０／５１８，９０２号の利益を主張し、その内容を援用する。
【０００２】
本発明は、デジタルデータバス（ＩＥＥＥ１３９４デジタルデータバス等）を介してテレビ装置に相互接続された周辺装置に関連するディスプレイ装置（テレビ装置等）に、コンテンツ情報の表示を提供するシステムに関する。
【背景技術】
【０００３】
データバスは、電子装置を相互接続するために利用可能である。テレビ受信機、ディスプレイ装置、直接衛星放送（ＤＢＳ：ｄｉｒｅｃｔ  ｂｒｏａｄｃａｓｔ  ｓａｔｅｌｌｉｔｅ）受信機、ケーブルテレビ受信機（すなわちケーブルボックス）、ビデオカセットレコーダ（ＶＣＲ）、オーディオ／ビデオハードディスクドライブ装置（Ａ／ＶＨＤＤ）、固体メモリ装置（例えばＭＰ３プレイヤ）等のような家庭用電化製品に関して、これらの装置がこのようなデータバスを介して相互接続される機能を提供する傾向が生じている。データバスを使用した通信は、バスプロトコルに従って生じる。使用され得るバスの例は、ＩＥＥＥ１３９４高速シリアルバスである。
【０００４】
ＩＥＥＥ１３９４バスプロトコルは、制御情報とデータとの双方を通信することを備える。ＩＥＥＥ１３９４シリアルバスでは、一般的には制御情報はシリアルバスの非同期サービスを使用して渡される。特定のアプリケーションの制御情報は、例えば共通アプリケーション言語（ＣＡＬ：Ｃｏｍｍｏｎ  Ａｐｐｌｉｃａｔｉｏｎ  Ｌａｎｇｕａｇｅ）又はＡＶ／Ｃを使用して規定され得る。前述のような現在の家庭用電化製品へのＩＥＥＥバス技術の組み込みにより、家庭用電化製品がネットワーク化されることが可能になる。一般的にはこのようなホームネットワークは、テレビ装置に相互接続された周辺ＩＥＥＥ１３９４装置に格納された素材の主な視聴装置及び／又は再生装置として、テレビディスプレイのようなディスプレイ装置を利用する。
【０００５】
ほとんどの相互接続された１３９４装置は、テレビ装置で再生可能なＡ／Ｖコンテンツを格納又は保有する。周辺装置に格納されたコンテンツを視聴するために、一般的には、コンテンツのトラックを通じて整列するために、周辺装置の制御を使用する必要がある。しかし、既知の周辺装置は、現在のトラックのタイトルデータとトラック時間のみを提供するため、テレビ装置もそれらのみを表示する。ユーザは、タイトルデータとトラック時間との全てを閲覧するためにトラックを手動で切り替えなければならない。従って、周辺装置のコンテンツを確認するために、ユーザが全コンテンツを通じて手動で切り替える必要がある。一般的には、１行のテレビディスプレイメニューは、周辺１３９４装置のユーザの基本コンテンツデータ（すなわちトラックのタイトルデータのみ）を表示するが、ユーザがリモコンで特定のキーを押下した場合にのみ且つテレビ装置が１３９４装置に同調した場合にのみ、装置がビデオソースとして選択される。しかし、現在では、テレビ装置がビデオソースとして相互接続された周辺装置に現在同調又は選択していないときに、相互接続された周辺装置についてテレビでコンテンツ情報を視聴する方法は存在しない。
【発明の開示】
【発明が解決しようとする課題】
【０００６】
従って、必要なものは、何の入力にテレビ装置が現在同調しているかにかかわらず、ユーザが相互接続された周辺装置についてテレビ装置でコンテンツ情報を視聴することを可能にする方法及び装置であることが、前記の議論から明らかである。
【０００７】
また、必要なものは、ユーザがデジタルシリアルバスを介してテレビ装置に相互接続された周辺デジタルシリアルバス装置のコンテンツ情報のテーブルを視聴することを可能にする方法及び装置であることも、前記の議論から明らかである。
【０００８】
更に、必要なものは、ユーザがデジタルシリアルバスを介してテレビに相互接続された周辺デジタルシリアルバス装置のうちそれぞれ１つのコンテンツのテーブルを閲覧することを可能にする方法及び装置であることも、前記の議論から明らかである。
【０００９】
前記及び他の必要性は、図示及び記載のような１つ以上の様々な形式及び／又は構造に具現された本発明の原理の適用を通じて満たされる。
【課題を解決するための手段】
【００１０】
デジタルシリアルバスネットワークにおいて、本発明は、何の入力ソースにテレビ装置が同調しているかにかかわらず、ユーザが、デジタルシリアルバスを介してテレビ装置に相互接続されたいずれか１つ以上の周辺装置について、テレビ装置でコンテンツ情報のテーブルを閲覧することを可能にする。
【００１１】
１つの形式では、本発明は、デジタルシリアルバスを介してテレビ装置に相互接続された周辺装置に関連するコンテンツ情報をテレビ装置で表示する方法を提供する。その方法は、（ａ）テレビ装置により、ユーザがデジタルシリアルバスを介してテレビ装置に相互接続された選択された周辺装置に関連するコンテンツ情報を要求することを可能にするオプションを提供し、そのオプションは、選択された周辺装置が現在テレビ装置の入力ソースとして選択されているか否かにかかわらず、テレビ装置により提供され、（ｂ）テレビ装置により、選択された周辺装置からコンテンツ情報を取得し、（ｃ）テレビ装置により、選択された周辺装置の受信したコンテンツ情報を表示することを有する。
【００１２】
他の形式では、本発明は、デジタルテレビ装置を提供する。デジタルテレビ装置は、（ａ）ユーザがデジタルシリアルバスを介してデジタルテレビ装置に相互接続された選択された周辺装置に関連するコンテンツ情報の閲覧を要求することを可能にするオプションを提供し、そのオプションは、選択された周辺装置が現在デジタルテレビ装置の入力ソースとして選択されているか否かにかかわらず、テレビ装置により提供される手段と、（ｂ）選択された周辺装置からコンテンツ情報を取得する手段と、（ｃ）選択された周辺装置の受信したコンテンツ情報を表示する手段とを有する。
【００１３】
本発明は、周辺装置に関連するディスク又は他の記憶媒体のコンテンツのテーブルからコンテンツ情報を取り出し、このデータを装置毎に表示することができるテレビ装置を提供する。本発明は、一般的にユーザ入力に応じてメニューオプションが提供されたときに、テレビが周辺装置に現在同調していなくても、ユーザが様々な周辺装置のコンテンツのテーブルを閲覧することを可能にする。１つの装置からのコンテンツデータを調べている間に、ユーザがリモコンの入力キーを押下すると、本発明は、テレビ装置に相互接続された次の周辺装置に切り替え、全てのトラックデータ（例えば、アーチスト、ジャンル、作成日／時、総時間、再生中の場合には現時間、及び場合によってはトラックに関連する説明）のようなそのコンテンツの全てを表示する。ＰＳＩＰデータから生じる情報は、ＡＴＳＣストリームとしてデータが記録されている場合であっても、デジタル又はＭＰＥＧ２データについてここで説明する方法で表示可能である。
【００１４】
デジタルシリアルバスがＩＥＥＥ１３９４準拠であり、様々な周辺装置がＩＥＥＥ１３９４準拠である場合、本発明は、テレビ装置が何らかの特定のＩＥＥＥ１３９４準拠の周辺装置に現在同調しているか否かにかかわらず、ユーザがテレビ装置に相互接続された何らかの１３９４準拠の周辺装置のコンテンツデータのテーブルをテレビ装置で視聴することを可能にする。本発明は、ユーザがテレビ装置から各周辺ＩＥＥＥ１３９４装置のコンテンツの様々なトラックを操作することを更に可能にする。このような操作は、リストに記載のトラック（オーディオ、ビデオ、又はオーディオ／ビデオプログラム若しくはデータ）を移動する機能、リストに記載のトラックを再生する機能、リストに記載のトラックを削除する機能、及びトラックを制御する他の機能を有してもよい。
【００１５】
本発明はまた、ユーザがテレビ装置のリモコンの指定のキーを使用することを通じて、様々な相互接続された１３９４装置を循環することを可能にする。これは、複数のコンテンツのテーブルへのアクセスをユーザに提供すると共に、所望のトラックを見つけるための簡単な方法をユーザに提供する。更に、ユーザが周辺装置（すなわち、テレビ装置に相互接続された１３９４周辺装置）の１３９４リストでの最後の１３９４周辺装置に到達すると、本発明は、更なるユーザ入力のときに、最初の１３９４周辺装置のコンテンツのテーブルにユーザを戻すことを提供する。これは、ユーザが既に１３９４周辺装置に接続されているときにメニューを開いた場合にあり得るように、１３９４周辺装置のリストの中間で開始することを可能にする。本発明は、例えば当業者に既知のプログラミング技術を使用して、１３９４周辺装置に実装されてもよい。
【発明を実施するための最良の形態】
【００１６】
本発明の前述及び他の特徴及び目的並びにそれを達成する方法は、添付図面と共に検討される本発明の実施例の以下の説明を参照することにより明らかになり、本発明自体がより理解される。
【００１７】
対応する参照符号は、複数の図面を通じて対応する部分を示す。図面は本発明の実施例を示すが、図面は必ずしも縮尺通りではなく、本発明をよく例示及び説明するために、特定の機能が誇張されることがある。ここに示す例示は、本発明の様々な実施例を示すが、このような例示は決して本発明の範囲を限定するものとして解釈されるべきではない。
【００１８】
ここに記載する実施例は網羅的であることを意図するのではなく、また、当業者がその教示を利用し得るように開示された正確な形式に本発明を限定することを意図するのではない。
【００１９】
図１は、本発明の原理を組み込んだ及び／又は本発明の原理に従って動作可能な例示的なシステム又はネットワーク２０を示している。例示的ではあるが、システム２０は、本発明の原理に従って動作可能なシステム又はネットワークの多数の物理的な実施例を表す。特に、システム又はネットワーク２０は、デジタルシリアルバス構成要素で実現可能な様々な構成を表す。
【００２０】
図１のシステム２０は、一般的なテレビ／テレビ装置に関連する基本的な機能及び／又は特徴と、この原理に従ってここに記載する機能／特徴とを有するテレビ装置２２を有する。テレビ装置２２は、テレビ２２に利用可能な様々な入力ソースから、デジタルテレビ信号やデジタルオーディオ／ビデオ（Ａ／Ｖ）コンテンツ等（併せてデジタルコンテンツという）と、アナログテレビ信号やアナログオーディオ／ビデオ（Ａ／Ｖ）コンテンツ等（併せてアナログコンテンツという）とを処理するように動作可能であり、構成され、及び／又は適合される。
【００２１】
コンテンツを処理して再生することに加えて、テレビ装置２２はまた、テキストやグラフィックや画像等を含む表示を画面上に表示するように構成され、適合され、及び／又は動作可能である。テレビ装置２２はまた、テレビ装置２２を制御し、当該技術分野に既知であり且つここで本発明の原理に従って説明するメニュー選択やテレビ初期設定等のユーザ選択の様々なインタラクティブ及び／又は非インタラクティブメニューにアクセスするために、ユーザ入力を受け入れる。本発明の原理によれば、テレビ装置２２は、ユーザ入力及び／又はテレビシステム信号に応じて、ユーザ選択可能オプションを含む１つ以上のメニューを表示し、ユーザ選択／オプションのユーザ選択についてユーザ入力を受け入れるように更に動作可能である。
【００２２】
従って、テレビ装置２２は、ディスプレイ３２と、前述の方法及び以下に説明する方法で機能するテレビ信号処理及び特徴／機能制御ユニット３４とを有する形式のテレビ信号受信機の様々な実施例を表す。テレビ装置２２は、遠隔制御信号又は入力を遠隔制御受信機３６に送信するリモコン３０を介して、ユーザ入力を受け入れる。リモコン／遠隔受信機３０／３６は、ＩＲ、ＲＦ又は他の送信手段を利用してもよい。リモコン３０は、チャンネル変更入力や音量制御入力や転送コマンド入力や設定入力等に限定されず、このようなメニューオプション又は選択に関してユーザ入力信号を提供するために使用される。
【００２３】
テレビ装置２２は、オーディオを再生するスピーカ３８を有する。更に、テレビ装置２２は、フロントパネルユーザ制御４０を有してもよい。テレビ信号の唯一のソース２４が図示されているが、テレビ装置２２は複数の様々な形式のテレビ信号入力ソースを有することが好ましい。従って、ソース２４は、衛星や地上波（無線）やケーブル等のような様々なテレビ信号ソース入力を表す。
【００２４】
更に、システム２０は、テレビ信号２２をＤＳＢ（準拠）周辺装置（ＰＤ１）２８に相互接続するデジタルシリアルバス（ＤＳＢ：ｄｉｇｉｔａｌ  ｓｅｒｉａｌ  ｂｕｓ）２６を有する。デジタルシリアルバス２６は、如何なる適切な形式のデジタルシリアルバスでもよいが、ＩＥＥＥ１３９４高速シリアルバスであることが好ましい。従って、以下では本発明についてＩＥＥＥ１３９４デジタルバスに関して説明するが、様々な形式のデジタルシリアルバスが使用されてもよく、本発明はそのようなバスに限定されないことがわかる。従って、テレビ装置２２は、ＤＳＢ準拠の周辺装置と接続するためのデジタルシリアルバス（ＤＳＢ）処理及びポート５０を有する。
【００２５】
周辺装置２８は、固体メモリやハードドライブ等のような記憶媒体２９を有する。記憶媒体２９は、それに格納されたプログラムコンテンツを有する。コンテンツは、デジタルシリアルバスで転送可能なデジタルオーディオ、デジタルビデオ及び／又はデジタルオーディオ／ビデオプログラムでもよい。従って、各周辺装置２８は、デジタルシリアルバス準拠の周辺装置として機能するために、デジタルシリアルバスハードウェア／ファームウェア／ソフトウェアを有する。
【００２６】
複数の周辺装置（ＰＤ１〜ＰＤｎ）は、ＩＥＥＥ１３９４バスで可能なような相互のデイジーチェーン方式で図示されている。それぞれの更なる周辺装置２８はまた、記憶媒体を有してもよい。更に、記憶媒体４５を有する他の周辺装置（ＰＤａ）４４が、デイジーチェーン方式ではなく、他のＤＳＢポートを介してテレビ装置２２に接続されているように図示されている。テレビ装置２２は、全てのデイジーチェーン方式の周辺装置（ＰＤ１〜ＰＤｎ）とその他のもの（例えばＰＤａ）との全てについてコンテンツ情報を取得するように動作可能である。
【００２７】
ソース２４は非ＤＳＢ装置でもよく、その場合、一般的なテレビ信号入力端子を介してテレビ装置２２に接続される。ソース２４が他のＤＳＢ装置である場合、ソース２４とＤＳＢ２６との間の点線の矢印で示すように、シリアルバス２６に接続されてもよい。
【００２８】
更に、様々な形式の１３９４シリアルバスについてここでは説明しないが、２００３年１２月１６日にＳｔａｈｌ他に発行された米国特許６，６６５，０２０に更に十分に説明されている。その内容を援用する。米国特許６，６６５，０２０及び本発明は同一出願人によるものである。
【００２９】
テレビ装置２２は、リモコン３０やフロント制御パネル４０を介したユーザ入力に応じて、テレビ装置により起動されて又は他の方法で（テレビ装置に接続された他の装置を介して）、ＤＳＢ周辺装置のコンテンツ情報を視聴するユーザ要求に応じた画面上メニュー（テレビ装置２２のディスプレイ３２のメニュー４８を参照のこと）を提供する。特に、本発明は、何の入力装置にテレビ装置が同調しているかにかかわらず、ユーザがＤＳＢ２６を介してテレビ装置２２に相互接続されたいずれか１つ以上の周辺装置（ＰＤ１〜ＰＤｎ）について、テレビ装置２２でコンテンツ情報（例えばコンテンツ情報のテーブル）を閲覧することを可能にする。
【００３０】
テレビ装置２２は、周辺装置に関連するディスク又は他の記憶媒体のコンテンツデータのテーブルから、プログラムに関連するコンテンツデータ（例えば、トラックデータ、タイトルデータ、アーチスト、ジャンル、作成日／時、総時間等）を取り出し、このデータをテレビ装置２２に装置毎に表示する。テレビ装置２２はまた、一般的にユーザ入力に応じてメニューオプションが提供されたときに、テレビ装置が特定の周辺装置に同調していなくても、ユーザが様々な周辺装置のコンテンツのテーブルを閲覧することを可能にする。１つの装置からのコンテンツデータを調べている間に、ユーザがリモコン３０の入力キーを押下すると、テレビ装置２２は、テレビ装置に相互接続された次の周辺装置に切り替え、そのコンテンツデータの全てを表示する。ＰＳＩＰデータから生じる情報は、ＡＴＳＣストリームとしてデータが記録されている場合であっても、デジタル又はＭＰＥＧ２データについてここで説明する方法で表示可能である。
【００３１】
テレビ装置２２はまた、ユーザがリモコン３０の指定のキーを使用することを通じて、様々な相互接続された周辺装置を循環することを可能にする。これは、コンテンツの複数のテーブルへのアクセスをユーザに提供すると共に、指定の周辺装置の所望のトラックを見つけるための簡単な方法をユーザに提供する。更に、ユーザが周辺装置のリストでの最後の周辺装置に到達すると、本発明は、更なるユーザ入力のときに、最初の周辺装置のコンテンツのテーブルにユーザを戻すことを提供する。これは、ユーザが既に周辺装置に接続されているときにメニューを開いた場合のように、周辺装置のリストの中間で開始することを可能にする。本発明による教示は、例えば当業者に既知のプログラミング技術を使用して、周辺装置に実装されてもよい。
【００３２】
図２を参照すると、ネットワーク２０に類似するが、特にＩＥＥＥ１３９４デジタルシリアルバスプロトコル／標準に対して構成された例示的なネットワーク２０ａの詳細なブロック図が示されている。ネットワーク２０ａは、テレビ装置２２ａと、テレビ信号を提供するソース入力（６２）としての衛星又はケーブルボックス２４とを有する。テレビ装置２２ａは、１３９４準拠の周辺装置（ＣＰＤ）２８ａ（１３９４ＣＰＤ１）及び４４ａ（１３９４ＣＰＤ２）〜４６ａ（１３９４ＣＤＰｎ）の接続用の１３９４バスポート６０を有する。更に、テレビ装置２２ａは、テレビ２２ａ及びその特徴／機能の動作用のプログラム命令を格納するメモリ５４を含んで図示されている。更に、テレビ装置２０は、ディスプレイ３２に示される画面上メニュー及び／又はテキスト及び／又はグラフィックスを提供するように動作可能であり、構成され、及び／又は適合される画面上ディスプレイ生成器５８を有する。
【００３３】
テレビ装置２２ａのこれらの構成要素は、テレビ信号やＡ／Ｖ信号等を処理する手段と、１３９４準拠の周辺装置と通信し、それに対してコンテンツ及び／又はコンテンツデータを格納して取り出す手段とを提供する。
【００３４】
本発明は、テレビ装置が特定のＩＥＥＥ１３９４準拠の周辺装置に現在同調しているか否かにかかわらず、ユーザがＩＥＥＥ１３９４ネットワークを介してテレビ装置に相互接続された何らかの１３９４準拠の周辺装置のコンテンツデータのテーブルをＩＥＥＥ１３９４準拠のテレビ装置で視聴することを可能にする。すなわち、特定の周辺装置が視聴のために選択される。本発明は、ユーザがテレビ装置から各周辺ＩＥＥＥ１３９４装置のコンテンツの様々なトラックを操作することを更に可能にする。このような操作は、リストに記載のトラック（オーディオ、ビデオ、又はオーディオ／ビデオプログラム若しくはデータ）を移動する機能、リストに記載のトラックを再生する機能、リストに記載のトラックを削除する機能、及びトラックを制御する他の機能を有してもよい。
【００３５】
周辺装置２８ａは、装置をテレビ装置又は他の１３９４準拠の周辺装置に接続するための１３９４ポート７６を備えて特に図示されている。周辺装置２８ａはまた、１３９４プロトコルに従ってデータ（例えばコンテンツ及びコンテンツデータ）と制御データとをテレビ装置２２ａとの間で通信してテレビ装置２２ａから受信してテレビ装置２２ａに送信する１３９４処理インタフェース７８を有する。ハードドライブのような記憶媒体２９は、必要に応じて周辺装置を動作するプログラム命令７４と、コンテンツ７０（例えばコンテンツのトラック）と、コンテンツデータ７４（例えば全ての形式のトラックデータを含むコンテンツのテーブル）とを有する。他の周辺装置４４ａ〜４６ａは、ここで説明する適切な構成要素をそれぞれ有する。
【００３６】
テレビ装置２２ａは、１３９４シリアルバス／プロトコルを介して１つ以上の周辺装置からコンテンツデータを取得するように動作可能である。テレビ装置２２ａは、周辺装置の検出時及び／又はテレビ装置の起動時に、自分の識別情報に加えて周辺装置からこのような情報を自動的に要求するようにプログラムされてもよい。各周辺装置は、その適切なコンテンツデータをテレビ装置に送信することにより、テレビ装置２２ａに応答する。従って、周辺装置がユーザにより選択されていなくても、テレビ装置は周辺装置からコンテンツ記述情報を取得する。操作がコンテンツデータへの変更を提供する場合に、テレビ装置はコンテンツデータの変更を提供するように動作可能である。
【００３７】
図３を参照すると、この原理に従ってテレビ装置２２を動作する例示的な方法のフローチャート（包括的に３００で示す）が図示されている。方法３００は、テレビ装置により実装され、ユーザ入力に応答する。更に、方法３００のフローチャートは、デジタルシリアルバスがＩＥＥＥ１３９４シリアルバスであり、周辺装置がＩＥＥＥ１３９４準拠の周辺装置であることを仮定する。しかし、このような仮定は、本発明の範囲を限定するものとして解釈されるべきではない。
【００３８】
ブロック３０２において、ユーザが１３９４装置のコンテンツ情報／データ（例えばコンテンツ及び対応するデータの全テーブル）を視聴することを可能にする画面上メニュー／メニューオプションが提供される。メニュー／オプションは、特別のメニューでもよく、１３９４装置視聴モードのオプションを備えた一般的なメニューでもよい。ブロック３０４において、メニューを終了すること又は他のメニュー選択を行うこととは対照的に、メニュー／オプションは、ユーザが特定の周辺装置から１３９４装置のコンテンツを視聴することを選択することを可能にする。ブロック３０６において、テレビ装置は、１３９４バスを介してテレビ装置に相互接続された１つ以上の選択された１３９４装置のコンテンツデータを取得する。１つの形式では、テレビ装置は、全ての相互接続された１３９４装置の記憶媒体のコンテンツデータを取り出す。
【００３９】
ブロック３０８において、１３９４装置の取得されたコンテンツデータは、ユーザによる閲覧のために、テレビ装置（又は関連するディスプレイ）に表示される。テレビ装置が複数の１３９４装置からコンテンツデータを取得した場合、コンテンツデータは装置毎に表示されるが、様々な代替の形式で提供されてもよい。その後、ブロック３１０において、テレビ装置はコンテンツデータの操作を可能にする。
【００４０】
図４を参照すると、この原理に従ってテレビ装置２２を動作する他の例示的な方法（特にデジタルバスを介してテレビ装置に相互接続された１つ以上の周辺装置のコンテンツ情報を表示する方法）のフローチャート（包括的に４００で示す）が図示されている。フローチャート４００は、デジタルシリアルバスがＩＥＥＥ１３９４シリアルバスであり、デジタルシリアルバス周辺装置がＩＥＥＥ１３９４準拠の周辺装置であることを仮定するが、本発明の範囲を限定するものとして解釈されるべきではない。
【００４１】
選択された１３９４準拠の装置のコンテンツ情報を視聴するユーザコマンドのときに、テレビ装置２２は、テレビ装置のソース入力が１３９４装置に設定されているか否かを決定する。本発明は、１３９４準拠の装置が選択されたテレビ装置のソース入力でない場合であっても（すなわち、選択された周辺装置がテレビ装置で現在視聴されている装置ではない場合であっても）、ユーザが１３９４準拠の装置のコンテンツデータを視聴することを可能にすることがわかる。例えば、テレビ装置２２のリモコン３０は、ユーザがテレビ装置に接続された様々なテレビ信号／コンテンツソース（テレビチューナ、１つ以上のライン入力又は１つ以上の１３９４準拠の装置を含む）を切り替えることを可能にする入力ボタン又はキーを有してもよい。入力ボタンを押下することにより、ユーザは、様々なソース入力を循環し、ソース入力を選択し、テレビ装置で視聴してもよい。しかし、ユーザは、リモコンの他の指定のキーを使用して又は画面上のディスプレイの選択を通じて装置を選択することにより、選択されていない周辺装置のコンテンツを視聴してもよい。
【００４２】
１３９４シリアルバスを介してテレビ装置に接続された１３９４準拠の装置のコンテンツ情報又はデータをユーザが視聴することを可能にする機能は、画面上メニュー（例えば図１のメニュー４８）を通じて実現されることが好ましい。画面上メニューは、リモコン３０のメニューボタン又はキーのユーザ起動を通じてディスプレイ３２（図１参照）に提供される。代替として、リモコンは、コンテンツデータの視聴のために特定の１３９４準拠の装置を選択する指定のボタン又はキー（入力ボタンと異なる）を有してもよい。その後、ユーザは、当該技術分野において既知の方法で表示されたメニューをナビゲーションしてもよい。このように、１３９４準拠の装置が選択されたソース入力でなくても（すなわち、ユーザが他のソース入力を視聴していても）、ユーザは１３９４準拠の装置のコンテンツデータを提示して閲覧又は調査し得る。これは、異なるリモコンのボタン又はメニュー選択により実現されてもよい。
【００４３】
ブロック４０２において、テレビ装置は、非１３９４装置に“同調”（ソース入力の選択）するように決定される（例えばテレビソース入力はテレビのチューナ又はテレビのライン入力である）。従って、ブロック４０２において、テレビは装置の１３９４バスリストの第１の１３９４装置への通信を開始する。ブロック４０４において、テレビ装置は第１の１３９４装置のコンテンツ情報を取り出す。ブロック４０４は、第１の１３９４装置の取り出されたコンテンツ情報をテレビ装置に表示することを更に備える。この時点で、ユーザは前述のようにコンテンツ情報を操作してもよい。
【００４４】
ブロック４０６において、テレビ装置は、ユーザが他の（又は異なる）１３９４装置からのコンテンツ情報を見たいと思うことを示すユーザからの更なる入力を受信する。ブロック４０８において、テレビ装置は、次の１３９４装置が１３９４リストの最後の１３９４装置であるか否かを決定する。次の１３９４装置が最後の１３９４装置である場合（すなわち、ＹＥＳであるため、第１の１３９４装置がテレビ装置に相互接続された唯一の１３９４装置である）、テレビ装置はブロック４０４に戻り、第１の１３９４装置のコンテンツ情報を再び取り出して表示する。
【００４５】
次の１３９４装置が１３９４リストの最後の１３９４装置ではない場合（すなわち、ＮＯであるため、テレビ装置に相互接続された少なくとももう１つの１３９４装置が存在する）、テレビ装置はブロック４１０に進み、次の（この時点で現在の）１３９４装置のコンテンツ情報を取り出して表示する。その後、テレビ装置は他のユーザ入力を待機する（ブロック４０６）、又はテレビ装置の１３９４装置のコンテンツのモードの表示を終了し、他のテレビ動作に進む。
【００４６】
動作方法４００の始まり（ブロック４０１）において、テレビ装置が１３９４装置に現在同調している（すなわち、１３９４装置が選択されたソース入力である）と決定されると、テレビ装置２２はブロック４１０に進み、現在の１３９４装置（すなわち、テレビが現在同調しているもの）のコンテンツ情報が取り出されて表示される。その後、ルーチン４００は他のユーザ入力を待機する（ブロック４０６）、又はテレビ装置の１３９４装置のコンテンツのモードの表示を終了し、他のテレビ動作に戻る。
【００４７】
このように、テレビ装置は、テレビ装置が１３９４装置に現在同調しているか否かにかかわらず、テレビ装置に相互接続された如何なる１３９４周辺装置のコンテンツ情報又はデータ（例えばコンテンツ情報／データのテーブル）を取得して表示するように動作可能になる。更に、この方法は、ユーザがデジタルバスシステム又はネットワークの様々な１３９４装置を循環することを可能にする。また、テレビ装置は、起動時又は周辺装置の接続の検出時に、全ての周辺装置からコンテンツ情報を取得してもよい。
【００４８】
本発明について好ましい設計を有するものとして説明したが、本発明は、この開示の要旨及び範囲内で更に変更可能である。従って、この出願は、一般的な原理を使用した本発明の何らかの変更、使用及び適用をカバーすることを意図する。更に、この出願は、本発明が保持しており特許請求の範囲内にある当該技術分野で既知又は通常の慣習にあるこの開示からのそのような逸脱をカバーすることを意図する。
【図面の簡単な説明】
【００４９】
【図１】本発明が具現され得る例示的なデジタルシリアルバスネットワークの簡略化ブロック図
【図２】本発明の原理を実行するように動作可能な図１の例示的なネットワークの様々な構成要素のブロック図
【図３】本発明の例示的な動作方法のフローチャート
【図４】本発明の他の例示的な動作方法のフローチャート
【図１】
2007511181.tif 000003
【図２】
2007511181.tif 000004
【図３】
2007511181.tif 000005
【図４】
2007511181.tif 000006
【国際調査報告】
2007511181.tif 000007
2007511181.tif 000008
2007511181.tif 000009
2007511181.tif 000010